(57)【要約】【課題】防水構造の端末装置が水上でも効果的に使用できるようにする。【解決手段】防水構造で且つ水に浮く構成とされた筐体２００，３００を備えた携帯型無線通信装置とした。筐体２００，３００の表面には操作部１０４を配置し、筐体内部には無線通信処理部を備える。そして、無線通信処理部を含む全ての部材が筐体に収納された状態で装置全体の重心位置を、その筐体の中心から表面と反対側の裏面側にシフトした位置Ｃとしたものである。そのような重心位置の設定で、通信装置本体を水中に入れたとき、その通信装置本体が水上に浮いた際に、操作部１０４が配置された表面側が上になって浮く可能性が高くなり、良好な状態で浮くようになる。【選択図】図３
2010283539.tif 000002
【特許請求の範囲】
【請求項１】
防水構造で且つ水に浮く構成とされた筐体と、
前記筐体の表面に配置された操作部と、
前記筐体内に配置された無線通信処理部とを備え、
前記無線通信処理部を含む全ての部材が収納された状態で、前記筐体内の重心位置を、前記筐体の中心から前記表面と反対側の裏面側にシフトした位置とした
携帯型無線通信装置。
【請求項２】
さらに、前記筐体の表面に配置された表示部を備えた
請求項１記載の携帯型無線通信装置。
【請求項３】
前記無線通信処理部と接続されたアンテナを備え、前記筐体を水に浮かべた場合に、前記アンテナが水面より上に位置するようにした
請求項１記載の携帯型無線通信装置。
【請求項４】
前記筐体の裏面側の厚みを表面側よりも厚くすることで、前記筐体内の重心位置を、前記筐体の中心から裏面側にシフトした位置とする
請求項１記載の携帯型無線通信装置。
【請求項５】
前記筐体として、前記操作部及び前記無線通信処理部を収納する内部筐体と、該内部筐体を収納する防水構造の外部筐体とで構成した
請求項１記載の携帯型無線通信装置。
【発明の詳細な説明】
【技術分野】
【０００１】
本発明は、例えば携帯電話端末装置に適用して好適な携帯型無線通信装置に関し、特に防水構造の携帯型無線通信装置に関する。
【背景技術】
【０００２】
従来、携帯電話端末装置の如き通信装置として、防水構造のものが提案され、実用化されている。この防水構造の端末装置の場合には、端末装置本体を構成する筐体内部に水が入らないように、筐体の接合部やキー，端子などの配置箇所を防水構造としてある。この防水構造の端末装置を使うことで、例えば海岸や水辺、スキー場などで携帯電話端末装置を使用でき、使い勝手が向上する。
特許文献１には、防水構造の携帯電話端末装置の一例についての記載がある。
【先行技術文献】
【特許文献】
【０００３】
【特許文献１】特開２００４−１７２６７７号公報
【発明の概要】
【発明が解決しようとする課題】
【０００４】
従来の防水型の携帯電話端末装置は、上述したように基本的に端末装置に水がかかることがあっても、端末装置内部に水が侵入しないことを目的としてあり、例えば風呂の中やプール内のような水中で使用することは考慮されていない。従って、防水型といっても限られた使い方しかできない問題があった。
【０００５】
本発明はかかる点に鑑み、防水構造の端末装置が水上でも効果的に使用できるようにすることを目的とする。
【課題を解決するための手段】
【０００６】
本発明は、防水構造で且つ水に浮く構成とされた筐体を備えた携帯型無線通信装置としたものである。筐体の表面には操作部を配置し、筐体内部には無線通信処理部を備える。そして、無線通信処理部を含む全ての部材が筐体に収納された状態で、筐体内の重心位置を、その筐体の中心から表面と反対側の裏面側にシフトした位置としたものである。
【０００７】
このように構成したことで、通信装置本体を水中に入れたとき、その通信装置本体が水上に浮くと共に、その浮いた際に操作部が配置された表面側が上になって浮く可能性が高くなり、良好な状態で浮くようになる。
【発明の効果】
【０００８】
本発明によると、通信装置本体を水中に入れたとき、表面側が上になって水上に浮く可能性が高くなり、操作部などが配置された表面側が上になって浮くようになる。従って、水に浮かべた携帯型無線通信装置の状態を、その水に浮かべたままの状態で良好に確認できるようになる。
【図面の簡単な説明】
【０００９】
【図１】本発明の一実施の形態の携帯型無線通信装置の例を分解して示した分解斜視図である。
【図２】本発明の一実施の形態の携帯型無線通信装置の例の斜視図である。
【図３】図２のII−II線に沿う断面図である。
【図４】本発明の一実施の形態の携帯型無線通信装置の内部構成例を示すブロック図である。
【図５】本発明の一実施の形態の携帯型無線通信装置を水に浮かべた状態の例を示す説明図である。
【図６】図５の状態を断面で示した断面図である。
【図７】本発明の他の実施の形態の携帯型無線通信装置の例を分解して示した分解斜視図である。
【図８】本発明のさらに他の実施の形態の携帯型無線通信装置の例の説明図である。
【図９】本発明の実施の形態の携帯型無線通信装置の変形例（例１）を示した斜視図である。
【図１０】本発明の実施の形態の携帯型無線通信装置の変形例（例２）を示した斜視図である。
【発明を実施するための形態】
【００１０】
以下の順序で本発明の実施の形態について説明する。
１．一実施の形態の携帯電話端末装置の構成（図１〜図３）
２．端末装置の内部構成の説明（図４）
３．使用状態の例（図５，図６）
４．他の実施の形態の携帯電話端末装置の構成（図７）
５．さらに他の実施の形態の携帯電話端末装置の例（図８）
６．変形例の説明（図９，図１０）
【００１１】
［１．携帯電話端末装置（無線通信端末装置）の全体形状（図１〜図３）］
まず、図１〜図３を参照して、本発明の一実施の形態の例による無線通信端末装置の構成について説明する。本実施の形態の例においては、基地局等と無線通信を行って無線電話回線に接続される携帯電話端末装置に適用した例である。
【００１２】
図１は、携帯電話端末装置１００の構成を分解して示し、図２は組み立てた状態を示し、図３はその断面を示す。
本実施の形態の例の携帯電話端末装置１００は、防水構造としてあり、かつ水に浮く構成としてある。このため、図１及び図２に示すように、携帯電話端末装置１００としての各部品が取り付けられた基板１３０を、防水性があり比較的厚みのある合成樹脂で構成された第１筐体２００と第２筐体３００とで覆う構成としてある。
【００１３】
図１に示すように、基板１３０の表面側には表示部１０３や操作部１０４を構成する部品が取り付けてあり、裏面側には二次電池１２１や充電用コイル１２２などが配置してある。また、基板１３０の表面側の特定位置（図１例では下端の隅）に、無線電話用のアンテナ１０６を配置してある。アンテナ１０６の配置位置の詳細については後述する。また、図示はしないが後述する無線通信回路などの携帯電話端末として必要なその他の回路部品についても基板１３０に取り付けてある。
【００１４】
第１筐体２００と第２筐体３００は、比較的柔軟性を持ち防水性を有する軟質の合成樹脂で成形させてある。例えば、エラストマ樹脂やラバーと称される樹脂などが使用可能である。図１や図３に示すように、第１筐体２００の収納部２０２と、第２筐体３００の収納部３０２とで形成される空間に、基板１３０及びその基板１３０に配置された各部品を収納させてある。
第１筐体２００と第２筐体３００との接合は、例えば、第１筐体２００の接続面２０１と、第２筐体３００の接続面３０１を貼り合わせることで行われる。貼り合わせは、溶着，接着など防水性が確保される手法であればどのような手法で行ってもよい。
【００１５】
そして、第１筐体２００と第２筐体３００の内で、少なくとも表面側である第１筐体２００の一部については透明としてあり、内部に収納した表示部１０３に表示される文字，数字や画像が筐体２００の外側から見えるようにしてある。また、操作部１０４として配置されたキーについても、筐体２００の外側から見える構成としてある。或いは、操作部１０４については、第１筐体２００の表面に、キーが配置された位置を示す数字や機能などを印刷などで示すようにして、不透明としてもよい。表示部１０４が配置された位置についても、完全な透明にはしないで、表示部１０４で発光表示された文字などが透過して見えるようにしてもよい。操作部１０４として配置されたキーは、筐体２００の上からユーザが押すことで操作される。
端末装置１００の裏面側である第２筐体３００側は、透明でなくてもよい。
【００１６】
そして本例においては、図３に断面で示すように、裏面側である第２筐体３００を、比較的厚さを厚くした筐体としてあり、第１筐体２００側の厚さよりも厚い構成としてある。具体的には、図３に示すように、第１筐体２００の厚さｔ１は、防水性を維持でき筐体としての強度も維持できる程度の厚さ（例えば数ｍｍ程度）としてあり、第２筐体３００の中央部の厚さｔ２は、表面側の厚さｔ１よりも大幅に厚くしてある。第２筐体３００側は中央部が厚く盛り上がった形状としてあり、左右の側面に近づくに従って徐々に厚さが薄くなる形状としてある。
このよう裏面側の筐体３００の厚さを厚くして重さを重くすることで、携帯電話端末装置１００全体としての重心位置Ｃは、図３に示すように、端末装置１００の中心位置よりも裏面側にずれた位置となるようにしてある。なお、重心位置Ｃを決める要因としては、筐体２００，３００だけでなく、筐体内の各部品の配置バランスなども影響するが、本例の場合には、筐体３００を厚くしたことが、重心位置Ｃを裏面側にずらした主要な要因となっている。
【００１７】
［２．端末装置の内部構成の説明（図４）］
図４は、本実施の形態の例の携帯電話端末装置１００の内部構成を示すブロック図である。
図４に示した構成について説明すると、携帯電話端末装置１００は、中央制御ユニット（ＣＰＵ）として構成された制御部１０１を備え、その制御部１０１が制御ライン１５０を介して各部の制御を行う。制御ライン１５０とは別に、音声データなどを伝送させるためのデータライン１６０についても備える。制御部１０１には、操作部１０４からの操作指令が供給される。操作部１０４としては、例えばキースイッチが配置された基板などで構成される。
【００１８】
また、携帯電話端末装置１００は、携帯電話端末として基地局などと無線通信を行う通信回路１０２を備え、通信回路１０２にアンテナ１０６が接続してある。この通信回路１０２で受信したデータの内の音声データは、近距離通信回路１１０に送り、近距離通信回路１１０に接続されたアンテナ１１１から、無線送信する。近距離通信回路１１０としては、例えばＢｌｕｅｔｏｏｔｈ（商標）と称される無線通信方式に準拠した通信回路としてあり、図示しないＢｌｕｅｔｏｏｔｈ用のヘッドセットで受信して音声を出力させる。
また、そのヘッドセットから無線伝送された音声データを、近距離通信回路１１０で受信し、データライン１６０を介して、通信回路１０２に供給して、基地局側に無線送信させる。なお本例の場合には送受話器を構成するマイクロフォン及びスピーカは端末装置１００に取り付けていない。
【００１９】
また、メールデータ、ウェブの閲覧画面のデータ、ダウンロードした画像データや音楽データなどの各種データを通信回路１０２で受信した場合には、それらのデータをメモリ１０５に記憶させ、画像表示や音楽再生などを行う。
これらの受信したデータによる画像表示や、携帯電話端末として必要な発信時や着信時の表示、電話帳表示などを行うために、表示部１０３を備える。表示部１０３としては、例えば液晶表示パネル、有機ＥＬ（Organic Electro-Luminescence）表示パネルなどが適用可能である。
【００２０】
また本例の携帯電話端末装置１００は、電源としてリチウムイオン電池などで構成される二次電池１２１を備える。この二次電池１２１の充放電は、充放電制御部１２０により制御される。ここで、本例の場合には、端末装置１００が充電用コイル１２２を備える構成として、充電用の端子を設けない構成としてある。
充電用コイル１２２は、図１などに示すように携帯電話端末装置１００の裏面側に配置してあり、図示しない充電器側のコイルと近接することで、充電器から電力の供給を受けて、二次電池１２１を充電させる。
【００２１】
［３．使用状態の例（図５，図６）］
次に、本例の携帯電話端末装置１００の使用状態の例を、図５及び図６を参照して説明する。本例の携帯電話端末装置１００は、既に説明したように、防水構造としてあり、かつ水に浮く筐体構造としてある。このため、本例の携帯電話端末装置１００を水中に入れることで、図５に示すように水面に浮かぶ。このとき、図３で説明したように、端末装置の重心位置を中心から裏側にシフトした位置としてあるため、裏側の方が重い形状であり、裏側が下側になって水面に浮く可能性が高い。
【００２２】
図５は、この携帯電話端末装置１００が水面Ｗに浮いた状態を示した図であり、表面である第１筐体２００を通して、操作部１０４を構成するキー配列１０４ａや表示部１０３で表示された表示１０３ａが見えた状態となっている。このように本例の端末装置１００を水中に入れることで、図５に示すようにキー配列や表示が見える面である表面が上になって浮かぶ。従って、水に浮かべた状態で、表示部１０３での表示が見えると共にキー配列についても見えた状態であり直ぐに操作を行うことができる。具体的には、例えば水に浮かべた状態で、この携帯電話端末装置１００への着信やメール受信などがあった際には、表示部１０３での表示から着信やメール受信などが直ぐに判るようになる。キー配列１０４ａについても照明を組み込んでおき、そのキー配列１０４ａの点灯などから、着信やメール受信などが判るようにしてもよい。
【００２３】
なお、本例の携帯電話端末装置１００は、図６に示したように、内部の基板１３０に取り付けたアンテナ１０６の位置が、端末装置１００を水に浮かべたときに、浮かべた水面Ｗよりも上側になる位置としてある。
このように浮かべたときに水面よりも上にアンテナ１０６が位置することで、携帯電話端末装置１００は、水に浮かべた状態でも、無線基地局と良好に無線通信を行うことができ、通話やメールの送受信を行うことができる。なお、図４に示した近距離無線通信（ここでＢｌｕｅｔｏｏｔｈ方式）のアンテナ１１１についても、同様に、端末装置１００を水に浮かべたときに、浮かべた水面Ｗよりも上側になる位置に配置してもよい。
【００２４】
また本例の携帯電話端末装置１００は、端末装置本体に送受話器を構成するマイクロフォン及びスピーカを内蔵させてなく、また充電についても充電用コイル１２２を使った非接触充電を行う構成としてある。このため、第１筐体２００及び第２筐体３００で完全に内部を覆った防水構造とすることが比較的簡単に行える。従って、図５に示したような水に浮かべた状態での使用に適した構成である。
【００２５】
なお、図１の例では、筐体として、第１筐体２００と第２筐体３００とに分けた構成としたが、何らかの手法で一体成形が可能であれば、筐体２００，３００を接合した形状の１つの筐体として構成してもよい。
【００２６】
［４．他の実施の形態の携帯電話端末装置の構成（図７）］
図７は、本発明の他の実施の形態の携帯電話端末装置の構成例を分解して示した図である。図７の例では、筐体として、第１筐体２００と第２筐体３００の他に、内部筐体４００，５００を用意した構成としてある。即ち、硬質樹脂で成形された表面側の内部筐体４００の収納部４０１と、裏面側の内部筐体５００の収納部５０１との間の空間に、基板１３０及びその基板上の各部材を収納させる。表面側の内部筐体４００には表示部１０３に対応した窓部４０２と、キー４０３とが配置してあり、外側の第１筐体２００には、窓部２０３を設けて、組み立てられた状態で、表示部１０３とキー４０３が窓部２０３から露出する構成としてある。但し、窓部２０３、４０３を設けても防水構造が維持できるような構成にしてある。
その他の部分は、図１例の携帯電話端末装置１００と同様に構成する。即ち、第１筐体２００と第２筐体３００については柔軟性を有した構成としてあり、防水構造についても各筐体２００〜５００で防水になる構成としてある。また、端末装置の重心位置を、中心よりも裏側にシフトさせてある。
【００２７】
この図７に示したように内部筐体４００，５００で、基板１３０とその基板上の各部材を収納させた上で、その内部筐体４００，５００を筐体２００，３００で覆う構成としたことで、内部筐体４００，５００で内部の回路部品の保護を受け持つようになる。このため、外側の筐体２００，３００については、防水性能を持たせるためや重心位置をシフトさせるための形状とすればよく、端末装置としても強度などを良好に向上させることができる。なお、防水性能を維持する上で窓部を設けるのが困難な場合には、各筐体の該当部分を透明にする等で対処してもよい。
【００２８】
［５．さらに他の実施の形態の携帯電話端末装置の例（図８）］
図８は、本発明の他の実施の形態の携帯電話端末装置の構成例を分解して示した図である。図８の例では、第１筐体２００の表面の上側にスピーカ１０７を配置し、表面の下側にマイクロフォン１０８を配置して、そのスピーカ１０７とマイクロフォン１０８とで、送受話器として機能するようにしたものである。
なお、スピーカ１０７とマイクロフォン１０８を筐体２００に配置したことによっても、防水構造が保てる構成としてある。その他の部分は図１例の携帯電話端末装置１００と同様に構成し、重心位置についても中心から裏側にシフトした位置としてある。
【００２９】
この図８に示す構成とした場合にも、図８に水面Ｗに浮かべた状態を示したように、表示１０３ａやキー配列１０４ａの他に、スピーカ１０７とマイクロフォン１０８についても常に水面よりも上に浮かんでいる状態となる。従って、例えばハンズフリー通話機能を内蔵させることで、図８に示したように浮かべたままの状態で、通話が可能となる。
【００３０】
［６．変形例の説明（図９，図１０）］
図９及び図１０は、携帯電話端末装置の形状の変形例を示したものである。
図９の例は、柔軟性を有する樹脂で構成された防水構造の筐体６０１で覆われた携帯電話端末装置６００とし、その筐体６０１に一体にリング部６０２を設けたものである。筐体６０１の表面には、キー６１１と表示部６１２とが見えた状態となっている。さらに、重心位置を中心から裏側にシフトさせる構成としてある。
この図９に示す構成とした場合にも、水に浮かべた場合に、キー６１１と表示部６１２を有する表面側が上になる。
【００３１】
図１０は、別の例の携帯電話端末装置７００としたものである。この例では、筐体７０１全体を透明として、防水形状で水に浮く構成としてある。透明であるため、内部の基板部７１０に配置されたキー７１１などが見えた状態である。筐体７０１の表面側からキー７１１を押すことで操作ができるようにしてある。
この図１０例の携帯電話端末装置７００についても、重心位置を端末装置の中心から裏側にシフトした位置となるようにしてある。但し、心位置を端末装置の中心から裏側にシフトした位置とするのを、この例では内部の部品の配置で行うようにして、筐体７０１の厚さは表面と裏面で同じとしてある。
この図１０に示した構成とした場合にも、水に浮かべた場合に、キー６１１と表示部６１２を有する表面側が上になる。
【００３２】
なお、ここまで説明した各例では、携帯電話端末装置に本発明を適用した例について説明したが、携帯電話端末装置以外のその他の各種携帯型無線通信装置に本発明を適用してもよい。
各図に示した構成についても好適な例を示したものであり、図示した構成に限定されるものではない。例えば、各例では表示部を備えた携帯電話端末装置としたが、表示部を備えないいわゆる簡易型の携帯電話端末装置として構成してもよい。
また、図４の構成では、充電用コイルを設けて非接触で充電を行う構成としたが、充電用の端子を設けた構成としてもよい。
【符号の説明】
【００３３】
１００…携帯電話端末装置、１０１…制御部、１０２…通信回路、１０３…表示部、１０４…操作部、１０５…メモリ、１０６…アンテナ、１０７…スピーカ、１０８…マイクロフォン、１１０…近距離通信回路、１１１…アンテナ、１１２…バイブレータ、１２０…充放電制御部、１２１…二次電池、１２２…充電用コイル、１３０…基板、２００…第１筐体、２０１…接続面、２０２…収納部、２０３…窓部、３００…第２筐体、３０１…接続面、３０２…収納部、３０３…肉厚部、４００…第１内部筐体、４０１…収納部、４０２…窓部、４０３…キー、５００…第２内部筐体、５０１…収納部、６００…携帯電話端末装置、６０１…筐体、６０２…リング部、６１１…キー、７００…携帯電話端末装置、７０１…筐体、７１０…基板部、７１１…キー
【図１】
2010283539.tif 000003
【図２】
2010283539.tif 000004
【図３】
2010283539.tif 000005
【図４】
2010283539.tif 000006
【図５】
2010283539.tif 000007
【図６】
2010283539.tif 000008
【図７】
2010283539.tif 000009
【図８】
2010283539.tif 000010
【図９】
2010283539.tif 000011
【図１０】
2010283539.tif 000012